(57)【特許請求の範囲】
【請求項１】
上端に照明灯を内蔵する凹溝を具えたパネルとドアの上枠とを接続してなるトイレブース構成体であって、上記パネルは、その側端部において外面板と内面板間に段差を設け、このパネル側端面の段差に対応する段差を設けたエッジ材を上枠との接合部を除く前記パネル側端面に配備すると共に、パネルの上端部には内外面板間に骨枠を介して上向きに開口する凹溝を形成し、一方上記ドアの上枠は、上記パネルの厚みと同一幅であって立上り外辺と内辺及び底辺で上向き開口の凹溝を形成し、その底辺の側端部から上記パネルの凹溝に差込み固定する係止片を突設すると共に、上枠の側端部において立上り外辺と内辺との二辺間には上記パネル側端面に設けた段差に対応する段差を設けてなることを特徴とするトイレブース構成体。
【発明の詳細な説明】
【０００１】
【産業上の利用分野】
本発明は、トイレブース構成体に係り、特に、トイレ等の照明灯を内蔵するドアや間仕切りパネルが、意匠性並びに外観良く取付けできるトイレブース構成体に関する。
【０００２】
【従来技術とその課題】
従来、トイレット内の照明は、間仕切りパネルの上端に、当該パネルとは別体の溝形鋼形状の笠木をその開口部を上方に向けて取付け、その笠木の内側に照明灯を内設し、該照明灯から天井板面に照射された光の反射光により照明するようになっているが、照明灯が内蔵される笠木の下方のパネルとの間には、同一色調の材料を使用しても接合区画線が表れるために外観を損なうものであった。
【０００３】
【課題を解決するための手段】
本発明は上記課題を解決するものであって、その要旨は、上端に照明灯を内蔵する凹溝を具えたパネルとドアの上枠とを接続してなるトイレブース構成体であって、上記パネルは、その側端部において外面板と内面板間に段差を設け、このパネル側端面の段差に対応する段差を設けたエッジ材を上枠との接合部を除く前記パネル側端面に配備すると共に、パネルの上端部には内外面板間に骨枠を介して上向きに開口する凹溝を形成し、一方上記ドアの上枠は、上記パネルの厚みと同一幅であって立上り外辺と内辺及び底辺で上向き開口の凹溝を形成し、その底辺の側端部から上記パネルの凹溝に差込み固定する係止片を突設すると共に、上枠の側端部において立上り外辺と内辺との二辺間には上記パネル側端面に設けた段差に対応する段差を設けてなることを特徴とする。
【０００４】
【実施例】
以下、本発明の実施例を図面により具体的に説明する。図１は本発明を組立てる状態を展開斜視図で示し、図２は本発明のパネルとドアの関係を斜視図で示し、図３は本発明のトイレブースを斜視図で示す。
【０００５】
本発明は、トイレブースのパネル上端部に別途笠木を設けることなく、パネルの内外面板を上方に延設して上向き開口の凹溝を形成し、該凹溝内に照明灯を内蔵するものであるが、前記凹溝の側端開口部に溝形鋼形状のドアの上枠を接続固定し、該上枠の上向きに開口した溝部内にも照明灯を内蔵させることができる。そして、ドアを閉扉したときパネルとドアとの隙間から内部が隙見できないように、上記パネルの側端面に取付けるパネルエッジ材とドアの側端面に取付けるドアエッジ材には、内外面板間に段差を設けたものである。
【０００６】
本発明は、図１、図２に斜視図で示す如く、上端に照明灯Ａを内蔵する凹溝１２を具えたパネル１とドア２の上枠２１とを接続してなるトイレブース構成体であって、上記パネル１は、その側端部において外面板１−１と内面板１−２間で段差ｄ−１を設け、このパネル側端面の段差ｄ−１に対応する段差ｄ−１を設けたエッジ材１３をパネル１の側端面に配備すると共に、パネル１の上端部には内外面板１−２，１−１間に骨枠１１を介して上向きに開口する凹溝１２を形成している。一方、上記ドア２の上枠２１はパネル１の厚みと同一幅であって、立上り外辺２１１と内辺２１２及び底辺で上向きに開口する溝形鋼形状の溝部２２が形成され、上枠２１の側端部には溝部２２の底辺から係止片２３が突設されている。係止片２３はパネル１の凹溝１２に差込み固定されるものであって、上枠２１の溝部２２を形成する立上り外辺２１１と内辺２１２の側端部には、上記パネル１の側端面に設けた段差ｄ−１に対応する段差ｄ−１が設けられている。
【０００７】
本発明で使われるパネル１は、図１の如く、外面板１−１と内面板１−２の側端部にパネル折曲片１４を設け、外面板１−１を段差ｄ−１だけ内面板１−２より側方へ突出させて対設し、対向する外面板１−１と内面板１−２の上端部の内側に、底面にビス孔１１１を穿設した溝形鋼形状の骨枠１１を嵌込み固定して凹溝１２を形成し、上記段差ｄ−１を有する内外面板１−２，１−１間の側端面に、上端を上記骨枠１１の底面に合わせてパネルエッジ材１３を取付けてなるものである。
【０００８】
また、上記パネル１に接続するドア２の上枠２１は、パネル１の厚みと同一幅であって、上向き開口の溝部２２を形成してその側端部に上枠折曲片２５を設け、立上り内辺２１２を段差ｄ−１だけ立上り外辺２１１より側方に突出させて対設したものである。上枠２１の側端部には溝部２２の底辺から突出して係止片２３が設けられており、該係止片２３にはパネル１の凹溝１２に固定するためのビス孔２２２が穿設されている。また必要に応じて、上記係止片２３の底辺両側には、上枠２１の側端部に設けた上枠折曲片２５の側面に沿って上記パネル１の外面板１−１と内面板１−２の側端部に形成したパネル折曲片１４を挿着するための切込部２２１を設けておくことができる。
【０００９】
本発明を組立てるには、先ずパネル１を、その外面板１−１が段差ｄ−１だけと内面板１−２より側方へ突出させて設置し、ドア２の上枠２１の係止片２３を、
パネル１の凹溝１２に挿入し、パネル１の側端面（内外面板１−２、１−１）と上枠２１の側端面（立上り内辺２１２、立上り外辺２１１）同士を当接し、パネル折曲片１４面と上枠折曲片２５面とを密接させる。そこで、上枠２１の係止片２３に設けたビス孔２２２より、パネル１の凹溝１２内の骨枠１１に設けたビス孔１１１へビス３を締着することにより、パネル１の凹溝１２と上枠２１の溝部２２とが連通した状態に納まり、外観良く取付けられる。
【００１０】
そして、内面板２−２が外面板２−１より側方へ突出したドア側端面に、内面板側が段差ｄ−２だけ外面板側より側方へ突出させた形状となるドアエッジ２４を付設したドア２を、パネル１の開口部に軸着する。このようにすると、ドア２を閉扉した時に、ドアエッジ２４とパネルエッジ１３とが重なるため、両者の隙間から内部が隙見できなくなる。
【００１１】
上記実施例では、ドア２が内開き式の場合について述べたが、外開き式にも適用できるものであって、その場合にはパネル１の内面板１−２を、段差ｄ−１だけ外面板１−１より側方に突出させ、これに対応させてドア２の外面板２−１を、段差ｄ−２だけ内面板２−２より側方へ突出させればよい。
【００１２】
上記の如く本発明を組立てたのち、図２に示す如くパネル１の凹溝１２及び／又は上枠２１の溝部２２に蛍光灯等の照明灯Ａを取付けて施工を完了し、照明灯Ａに点灯すれば、図３に斜視図で示す如く、パネル１の全面が一枚板であるので上端部に接合区画線が全くなく、すっきりとした外観を呈するものである。
【００１３】
【発明の効果】
本発明は上記構成よりなるので下記効果を奏する。即ち、本発明によれば、パネルの上端部の凹溝やこれと連設するドアの上枠の溝部に照明器具を内蔵できるので、従来の笠木取付けのような接合区画線がなく、意匠性並びに外観が優れると共に、確実かつ容易に施工することができる。
【図面の簡単な説明】
【図１】本発明を組立てる状態を展開斜視図で示す。
【図２】本発明のパネルとドアの関係を斜視図で示す。
【図３】本発明のトイレブースを斜視図で示す。
【符号の説明】
１  パネル、１−１  外面板、１−２  内面板、１１  骨枠、
１２  凹溝、１３  パネルエッジ、１４  パネル折曲片、２  ドア、
２−１  外面板、２−２  内面板、２１  上枠、２２  溝部、２３  係止片、
２４  ドアエッジ材、２５  上枠折曲片、３  ビス、Ａ  照明器具
【図１】
0003549252.tif 000002
【図２】
0003549252.tif 000003
【図３】
0003549252.tif 000004